(57)【要約】【課題】  入力される映像信号等の音量レベルが高すぎたり低すぎたりした場合の調整を自動的に行え、オペレータの負担を軽減し、所要の音量レベルによる出力を得ることができるようにする。【解決手段】  入力された複数の音声信号や映像信号の音量レベルを調整して出力する複数の音量調整手段１５を備えてなる音量調整装置１０において、各音量調整手段の音量レベル調整用のフェーダ１６を映像設備からの制御で自動制御するフェーダ制御装置１７を設ける。このフェーダ制御装置は、指定されたフェーダレベルの出力レベルがある一定時間（たとえば０．５秒以上）にわたって低い場合または高い場合に、フェーダレベルを予め設定した時定数で連続的に増加または減少させるように構成されている。【選択図】        図１
2006345219.tif 000002
【特許請求の範囲】
【請求項１】
入力された複数の音声信号や映像信号の音量レベルを調整して出力する複数の音量調整手段を備えてなる音量調整装置において、
前記各音量調整手段の音量レベル調整用のフェーダを映像設備からの制御で自動制御するフェーダ制御装置を備え、
このフェーダ制御装置は、指定されたフェーダレベルの出力レベルがある一定時間にわたって低い場合または高い場合に、フェーダレベルを予め設定した時定数で連続的に増加または減少させるように構成されていることを特徴とする音量調整装置。
【請求項２】
請求項１記載の音量調整装置において、
フェーダ制御装置によりフェーダレベルの自動的な増減制御が行われた場合に、その状態を表示する表示部を設けたことを特徴とする音量調整装置。
【請求項３】
請求項１または請求項２記載の音量調整装置において、
フェーダの出力レベルを予め設定する出力レベル設定部を設け、
この出力レベル設定部により出力レベルを自動的に増減制御する範囲を指定するように構成したことを特徴とする音量調整装置。
【請求項４】
請求項１、請求項２または請求項３記載の音量調整装置において、
フェーダ制御装置による出力レベルの自動制御をＯＮ／ＯＦＦする手段を設けたことを特徴とする音量調整装置。
【発明の詳細な説明】
【技術分野】
【０００１】
本発明は、たとえば放送等で録音、編集等を行うミキシングコンソールなどにおいて、入力された複数の音声信号や映像信号などの音量をそれぞれ調整して出力するために用いられる音量調整装置に関する。
【背景技術】
【０００２】
各種放送用、レコーディング用スタジオ等において使用され、複数の音声信号や映像信号の処理、調整等を行い、放送番組等を制作するためのミキシングコンソールが従来から知られている。
この種のミキシングコンソールには、たとえばマイクロフォンや音声再生装置からなどの装置から複数の音声信号や複数の映像設備からの映像信号を入力し、それぞれの音声信号、映像信号等の音量レベルを、それぞれ対応する複数の音量調整手段を用いてそれぞれ調整して出力する音量調整装置が用いられている。
【０００３】
この種の音量調整装置における各音量調整手段には、音量の調整レベルを指定するためのレベル調整手段としてフェーダが設けられており、この音量調整装置に取り込むことで、必要とする音声信号や映像信号の音量レベルの調整を適宜行うように構成されている（例えば、特許文献１、特許文献２参照）。
【０００４】
図４は従来この種の音量調整装置の一例を示すものであり、同図において符号１０で示す音量調整装置は、音声処理部１１とミキサー操作部１２とからなり、音声処理部１１には、複数の映像設備、たとえば複数のＶＴＲを始め、ＣＤ、ＭＤ等に予め記録された映像信号、音声信号が入力されるように構成され、入力信号切換回路１３で必要とする入力信号が選択され、該入力信号が音量レベル調整部１４を経て出力されるように構成されている。
【０００５】
図中１５は音声制御卓と呼ばれる複数の音量調整手段であり、これらの音量調整手段１５には、音量レベル調整用としてフェーダ１６が設けられている。これらのフェーダ１６での調整レベルは、フェーダ制御装置１７を経て前記入力信号切換回路１３や音量レベル調整部１４に送られ、所要の制御を行うように構成されている。また、このフェーダ制御装置１７には、映像設備の制御情報等も入力されるようになっている。
【０００６】
そして、このような音量調整装置１０では、ミキサー操作部１２での操作に応じて音声処理部１１が必要とする映像信号や音声信号を取り込み、所要の音量レベルに調整して出力するように構成されている。
また、このような音量調整装置１０では、映像設備からの自動制御で操作される機能を備えており、フェーダに入力する素材、フェーダレベル、フェーダの指定位置までに移動するスピード等が指定されてフェーダを自動で出力レベルを制御するように構成されている。
【０００７】
【特許文献１】特開平５−３０４２１号公報
【特許文献２】特開２００４−１４０５３１
【発明の開示】
【発明が解決しようとする課題】
【０００８】
しかし、上述した従来の音量調整装置１０では、入力素材の音量レベルが一定ではないために、実際の入力素材の音量レベルが高すぎる場合、もしくは低すぎるという問題があり、従来からオペレータがマニュアル操作で対応する音量調整手段１５におけるフェーダ１６を調整する必要が生じていた。したがって、オペレータには熟練を要し、誰でもが簡単には操作できないという問題があり、自動調整が行えるとは言えず、またその調整操作も面倒かつ煩雑である等といった不具合もあった。
【０００９】
本発明はこのような事情に鑑みてなされたものであり、入力される映像信号、音声信号等の音量レベルが高すぎたり低すぎたりした場合においても、その音量レベル調整を自動的に行え、オペレータの負担を軽減し、また所要の音量レベルによる出力を得ることができる音量調整装置を得ることを目的とする。
【課題を解決するための手段】
【００１０】
このような目的に応えるために本発明（請求項１記載の発明）に係る音量調整装置は、入力された複数の音声信号や映像信号の音量レベルを調整して出力する複数の音量調整手段を備えてなる音量調整装置において、前記各音量調整手段の音量レベル調整用のフェーダを映像設備からの制御で自動制御するフェーダ制御装置を備え、このフェーダ制御装置は、指定されたフェーダレベルの出力レベルがある一定時間にわたって低い場合または高い場合に、フェーダレベルを予め設定した時定数で連続的に増加または減少させるように構成されていることを特徴とする。
ここで、「ある一定時間」とは、たとえば０．５秒以上の時間を言う。
【００１１】
本発明（請求項２記載の発明）に係る音量調整装置は、請求項１において、フェーダ制御装置によりフェーダレベルの自動的な増減制御が行われた場合に、その状態を表示する表示部を設けたことを特徴とする。
【００１２】
本発明（請求項３記載の発明）に係る音量調整装置は、請求項１または請求項２において、フェーダの出力レベルを予め設定する出力レベル設定部を設け、この出力レベル設定部により出力レベルを自動的に増減制御する範囲を指定するように構成したことを特徴とする。
【００１３】
本発明（請求項４記載の発明）に係る音量調整装置は、請求項１、請求項２または請求項３において、フェーダ制御装置による出力レベルの自動制御をＯＮ／ＯＦＦする手段を設けたことを特徴とする。
【発明の効果】
【００１４】
以上説明したように本発明に係る音量調整装置によれば、選択された映像信号等の出力レベルを検出する機能を設けることにより、自動で音量レベルの調整を行うことができるようになったため、オペレータの必要性をなくし、しかも安定した音量レベルによる音声出力を行うことができるという優れた効果を奏する。
【００１５】
また、本発明によれば、自動制御対象となっているチャンネルの指定出力レベルを、端末もしくはそれに相当する機能を備えた出力レベル設定部にてあらかじめ設定しておくことにより、自動で増減させるフェーダのレベル制御範囲を指定でき、柔軟な対応が可能となる。
【００１６】
さらに、本発明によれば、フェーダ制御装置による出力レベルの自動制御をＯＮ／ＯＦＦする手段を設けたことにより、自動レベル制御のＯＮ／ＯＦＦを設定することができ、ＯＦＦの場合には映像からの指定されたレベルでフェーダが動作し、自動制御は行われない。したがって、音量調整装置としての音量調整の自由度を高め、必要とされる所要の出力レベル制御を行えるものである。
【発明を実施するための最良の形態】
【００１７】
図１ないし図３は本発明に係る音量調整装置の一実施形態を示し、これらの図において、前述した図４で説明した従来構造と同一または相当する部分には同一番号を付して説明は省略する。
【００１８】
さて、この実施形態では、音声処理部１１の音量レベル調整部１４の出力側に、出力信号のレベルを検出するためのレベル検出部２１を設けている。さらに、音量調整手段１５の音量レベル調整用のフェーダ１６を映像設備からの制御で自動制御するフェーダ制御装置１７に対して、フェーダ１６の出力レベルを予め設定する出力レベル設定部２２を設け、この出力レベル設定部２２により出力レベルを自動的に増減制御する範囲を指定するように構成している。
【００１９】
そして、このような構成において、このフェーダ制御装置１７を、指定されたフェーダレベルの出力レベルがある一定時間、たとえば０．５秒以上にわたって低い場合または高い場合に、フェーダレベルを予め設定した時定数で連続的に増加または減少させるように構成している。
【００２０】
このように構成すれば、選択された映像信号等の出力レベルを検出するレベル検出部２１を設けるだけで、音量レベルの調整を自動的に行うことができ、これにより従来必要であったオペレータを不要とし、しかも安定した音量レベルによる出力制御を行うことができるのである。なお、このようなフェーダ制御装置１７によるフェーダレベルの自動的な増減制御が行われた場合に、その状態を表示する表示部（図示せず）を設けると出力レベルの調整制御状態が把握でき、実用面での効果は大きい。
【００２１】
さらに、自動制御対象となっている音量調整手段の指定出力レベルを、端末もしくはそれに相当する機能を備えた出力レベル設定部２２にて予め設定しておくことにより、自動で増減させるフェーダのレベル制御範囲を指定でき、柔軟な対応が可能となる。
【００２２】
以上のような構成による音量調整装置１０における自動音量調整の処理フローを図２に示す。
これを簡単に説明すると、Ｓ１０１では、フェーダ１６の出力レベル、自動レベル制御範囲を出力レベル設定部２２により設定する。すなわち、図３に示すように、フェーダ１では自動レベル制御範囲を１０ｄＢ、フェーダ２では１０ｄＢとするとともに、フェーダ３では非設定とするとよい。
【００２３】
なお、この図３では、出力推定レベルをフェーダ１で０ｄＢ、フェーダ２で０ｄＢとしている。また、フェーダ制御装置１７による出力レベルの自動制御をＯＮ／ＯＦＦする手段を設けることにより、自動レベル制御のＯＮ／ＯＦＦを設定できるようにし、ＯＦＦの場合には映像からの指定されたレベルでフェーダが動作し自動制御が行われないようにする。ここで、図３ではフェーダ１，２はＯＮ、フェーダ３はＯＦＦとした場合を示す。
【００２４】
Ｓ１０２では、図示しない映像設備からの制御をフェーダ制御装置１７が受信し、Ｓ１０３では、その制御内容でのフェーダ動作が実行される。
【００２５】
そして、Ｓ１０４に進み、自動制御がオンになっているか否かが判断され、オンとなっていればＳ１０５に進み、出力レベルが設定値より大きいか否かが判断される。ここで大きいと判断されると、Ｓ１０６に進み、フェーダ１６のレベルを自動的に下げるように自動制御される。
さらに、Ｓ１０７では、規定範囲までフェーダ１６が動作したか否かが判断される。
【００２６】
一方、Ｓ１０５で出力レベルが設定値より小さいと判断されると、Ｓ１０８に進み、出力レベルが設定値より小さいことを判断し、Ｓ１０９でフェーダ１６のレベルを自動的に上げるように自動制御される。そして、Ｓ１０７に進み、フェーダ１６が規定範囲まで動作したか否かが判断される。
【００２７】
Ｓ１０７において、規定範囲まで動作していないときは前記Ｓ１０５に戻り、規定範囲まで動作したときはＳ１１０に進んで、設定出力レベルになっているかが判断される。設定出力レベルになっていないときは、Ｓ１０５に戻るとともに、設定出力レベルになっているときは、Ｓ１１１に進んでフェーダ１６の動作が停止されることになる。
【００２８】
なお、本発明は上述した実施の形態で説明した構造には限定されず、音量調整装置１０を構成する各部の形状、構造等を適宜変形、変更し得ることはいうまでもない。
たとえば上述した実施形態では、０．５秒以上の時間、出力レベルが大きい状態あるいは小さい状態を継続したときに、映像信号等の入力信号による音量レベルが非定常状態であるとして自動調整制御を行う場合を説明したが、本発明はこれに限定されず、適宜の変形例が考えられる。
【図面の簡単な説明】
【００２９】
【図１】本発明に係る音量調整装置の一実施形態を示す概略構成図である。
【図２】本発明に係る音量調整装置による自動音量調整を説明するためのフローチャートである。
【図３】本発明に係る音量調整装置においてフェーダの設定状態を説明するための図である。
【図４】従来の音量調整装置を示す概略構成図である。
【符号の説明】
【００３０】
１０…音量調整装置、１１…音声処理部、１２…ミキサー操作部、１３…入力信号切換回路、１４…音量レベル調整部、１５…音声制御卓と呼ばれる音量調整手段、１６…音量レベル調整用としてフェーダ、１７…フェーダ制御装置、２１…レベル検出部、２２…出力レベル設定部。
【図１】
2006345219.tif 000003
【図２】
2006345219.tif 000004
【図３】
2006345219.tif 000005
【図４】
2006345219.tif 000006